(57)【要約】      （修正有）【課題】レジカウンター周囲のスペースに、カゴや入れ物等の収容体を、任意の場所へ容易に設置することができるレジカウンター用多機能台、及び当該多機能台を取り付けたレジカウンターを提供する。【解決手段】レジカウンター２００に取りつけられるレジカウンター用多機能台１００であって、当該レジカウンター用多機能台１００は、天板１２０と、複数の固定孔１１１が設けられた側壁部１１０とを備え、固定孔１１１には、収容体１３０Ａ，１３０Ｂの固定部材が固定可能なことを特徴とする。【選択図】図１
0003191828.tif 000002
【実用新案登録請求の範囲】
【請求項１】
レジカウンターに取りつけられるレジカウンター用多機能台であって、
当該レジカウンター用多機能台は、天板と、複数の固定孔が設けられた側壁部とを備え、
前記固定孔には、収容体の固定部材が固定可能なことを特徴とするレジカウンター用多機能台。
【請求項２】
請求項１に記載のレジカウンター用多機能台を、バーコード読取機の側面に取りつけたことを特徴とするレジカウンター。
【考案の詳細な説明】
【技術分野】
【０００１】
本考案は、スーパーマーケット等において、買い物客の会計のために使用されるレジカウンターと、当該レジカウンターに取り付けられる多機能台に関する。
【背景技術】
【０００２】
従来から、レジカウンター周辺には、レジにて会計を済ませている買い物客が追加で商品を購入できるように、商品陳列用の棚やカゴを配置したり、買い物客の便益のために、割り箸やスプーン等の消耗品を収容した入れ物を配置していた。
【考案の概要】
【考案が解決しようとする課題】
【０００３】
しかしながら、レジ周りに、商品陳列用のカゴや、消耗品を収容した入れ物を配置する場合には、レジカウンターの一部に固定用部材（ねじや、接着材等）を利用して、直接固定していた。そのため、固定部材で一度固定すると、その設置場所を、その他の任意の場所へ容易に変更することはできなかった。
【０００４】
そこで、本考案は、上記問題に鑑み、レジカウンター周囲のスペースに、カゴや入れ物等の収容体を、任意の場所へ容易に設置することができるレジカウンター用多機能台、及び当該多機能台を取り付けたレジカウンターを提供する。
【課題を解決するための手段】
【０００５】
上記課題を解決するために、本考案のレジカウンター用多機能台は、レジカウンターに取りつけられる多機能台であって、当該レジカウンター用多機能台は、天板と、複数の固定孔が設けられた側壁部とを備え、前記固定孔には、収容体の固定部材が固定可能なことを特徴とする。
【０００６】
上記特徴によれば、商品や割り箸の消耗品、又は広告等の冊子を収納する収容体は、固定部材によって固定孔に固定されて取り付けられる。そのため、任意の場所に収容体を設置したい場合は、複数の固定孔から、最適な固定孔を選択して固定すればよい。また、固定部材を固定孔から外すことで、収容体を容易に着脱することができる。
【０００７】
さらに、本考案のレジカウンターは、上記レジカウンター用多機能台を、バーコード読取機の側面に取りつけたことを特徴とする。
【０００８】
上記特徴によれば、バーコード読取機の周辺の狭いスペースを有効活用することができる。
【考案の効果】
【０００９】
上述したように、本考案によれば、レジカウンター周囲のスペースに、カゴや入れ物等の収容体を、任意の場所へ容易に設置することができる
【図面の簡単な説明】
【００１０】
【図１】本考案のレジカウンター用多機能台、及びレジカウンターの全体斜視図である。
【図２】（ａ）は、図１に示すレジカウンター用多機能台の平面図、（ｂ）は背面図、（ｃ）は側面図である。
【図３】本考案のレジカウンター用多機能台に取り付けられる収容体を示す図である。
【符号の説明】
【００１１】
１００  レジカウンター用多機能台
１１０  側壁部
１１１  固定孔
１２０  天板
１３０  収容体
１３１  固定部材
２００  レジカウンター
２１０  バーコード読取機
【考案を実施するための形態】
【００１２】
以下に、本考案の実施の形態について、図面を用いて説明する。なお、以下の説明において参照する各図の形状は、好適な形状寸法を説明する上での概念図又は概略図であり、寸法比率等は実際の寸法比率とは必ずしも一致しない。つまり、本発明は、図面における寸法比率に限定されるものではない。
【００１３】
図１は、本考案のレジカウンター用多機能台１００及びレジカウンター２００の全体斜視図を示している。なお、図の手前側は、レジにて会計を済ませる買い物客側であり、一方、図の奥側は、レジ作業を行うレジ係側である。
【００１４】
このレジカウンター用多機能台１００は、主に薄板状の側壁部１１０と天板１２０から構成され、側壁部１１０の固定孔１１１に、収容体１３０Ａ及び収容体１３０Ｂの固定部材が取り付けられて固定されている。そして、固定孔１１１は複数設けられているので、ユーザは、収容体１３０を設置したい位置に応じて、固定部材を固定する固定孔１１１を選択することができる。また、レジカウンター用多機能台１００の天板１２０上には、商品等を陳列するための収容カゴ１４０が設置されている。
【００１５】
また、レジカウンター２００は、主にバーコード読取機２１０と作業台２２０から構成されている。そして、図に示すように、レジカウンター用多機能台１００は、バーコード読取機２１０の手前側の側面に沿うように配置されている。
【００１６】
なお、従来では、バーコード読取機２１０の手前側にはわずかなスペースしかないので、収容体１３０を任意の位置へ設置するのは困難であった。また、収容体１３０を設置するにも、バーコード読取機２１０や作業台２２０にネジやテープ等の固定部材を用いて直接固定するしかなく、一度固定すると、他の場所へ容易に、設置場所を変更できないことから、大変不便であった。
【００１７】
しかしながら、本考案のレジカウンター用多機能台１００は、バーコード読取機２１０の手前側の側面に沿うように配置できるので、その狭いスペースを有効に活用できるのである。さらに、任意の場所に収容体１３０を設置できるので、利便性が大変高い。
【００１８】
では、次に、レジカウンター用多機能台１００の構成について、図２を参照して詳しく説明する。図２（ａ）はレジカウンター用多機能台１００の平面図、図２（ｂ）はレジカウンター用多機能台１００の背面図、図２（ｃ）はレジカウンター用多機能台１００の側面図である。
【００１９】
図２（ａ）に示すように、天板１２０の後縁部１２１は、窪んだ形状となっている。この窪んだ形状は、バーコード読取機２１０の手前側の側面形状と一致する形状となっている。そのため、図１に示すように、レジカウンター用多機能台１００をバーコード読取機２１０の側面に沿うように配置することができる。
【００２０】
また、天板１２０には、収容カゴ１４０が固定部材１４１によって固定設置されている。天板１２０は平坦形状をしているので、収容カゴ１４０以外にも、適宜、その他の収容体を設置したり、荷台として利用することができる。なお、収容カゴ１４０に固定部材を設けて、側壁部１１０の固定孔１１１に固定させることもできる。
【００２１】
次に、図２（ｂ）は、レジカウンター用多機能台１００の背面側、つまり、レジ係側から見た図を示している。レジカウンター用多機能台１００は、天板１２０と左側壁１１２と右側壁１１３とによって、背面側が開口するように箱形となっている。また、側壁部１１０の裏面側の一部には、棚１６０及び収容体１７０が設けられている。
【００２２】
この棚１６０は、天板１２０の一部と、左側壁１１２の一部と、底板１６１と、側板１６２とで四方が囲まれた形状をしており、小物入れのスペースとして利用するものである。また、収容体１７０は、ロール状のポリ袋等を収容するもので、芯棒１７３と突起１７２を備えており、芯棒１７３に嵌め込まれたロール状のポリ袋等を引き出して、突起１７２で切り取って使用するものである。
【００２３】
右側壁１１３の表面には、棒状のフック１５０が設けられており、レジ袋不要カード等をつり下げるのに利用することができる。
【００２４】
次に、図２（ｃ）は、レジカウンター用多機能台１００の右側壁１１３から見た側面図を示している。側壁部１１０の手前側には、固定孔１１１を利用して収容体１３０Ａ及び収容体１３０Ｂが取りつけられており、側壁部１１０の背面側には、収容体１７０が取りつけられている。
【００２５】
では、次に、側壁部１１０の固定孔１１１に取りつけられる収容体１３０Ａ、収容体１３０Ｂ、及び収容体１７０について、図３を参照して詳しく説明する。
【００２６】
図３（ａ）は、レジカウンター用多機能台１００の正面図を示している。側壁部１１０には、縦横に均等な間隔で、複数の固定孔１１１が設けられている。そして、収容体１３０Ａ及び収容体１３０Ｂは、側壁部１１０の手前側から任意の固定孔１１１に固定される。また、収容体１７０は、側壁部１１０の裏面側から任意の固定孔１１１に固定されている。固定孔１１１は、側壁部１１０を手前側から裏面側まで貫通しているので、手前側と裏面側のどちら側にでも、収容体１３０や収容体１７０を固定させることができる。
【００２７】
図３（ｂ）は、収容体１３０Ｂの側面図を示している。収容体１３０Ｂは、上端が開口し、両側壁１３２Ｂと底壁１３３Ｂと後壁１３４Ｂとで囲まれているので、広告やパンフレットＰ等を、その内部に収納することができる。また、側壁１３２Ｂには、ボルトである固定部材１３１Ｂが設けられており、固定部材１３１Ｂの先端側が固定孔１１１に挿入されて、その先端を固定孔１１１の裏面からナット等で締め付けることで、固定部材１３１Ｂが側壁部１１０に固定される。
【００２８】
次に、図３（ｃ）は、収容体１３０ＡのＡ―Ａ断面図（図３（ａ）参照）を示している。この収容体１３０Ａは、箱状で、下端に開口部１３２Ａを設けている。そして、内部に割り箸等の消耗品Ｃを多数収納しておき、必要数だけ開口部１３２Ａから取り出すものである。また、収容体１３０Ａの下部には、ボルトである固定部材１３１Ａが設けられており、固定部材１３１Ａの先端側が固定孔１１１に挿入されて、その先端を固定孔１１１の裏面からナット等で締め付けることで、固定部材１３１Ａが側壁部１１０に固定される。
【００２９】
次に、図３（ｄ）は、収容体１７０の側面図を示している。収容体１７０の芯棒１７３には、ロール状のポリ袋Ｒが嵌め込まれており、必要量だけポリ袋Ｒを引き出し、突起１７２によって切り取って使用する。また。収容体１７０の背面には、固定部材１７１が設けられており、固定部材１７１の先端側が固定孔１１１に挿入されて、その先端をナット等で締め付けることで、固定部材１７１が側壁部１１０に固定される。
【００３０】
なお、図３では、固定部材としてボルトを使用し、ボルト先端を固定孔に差し込んで、その先端をナット等で締め付けて、側壁部に固定していた。しかしながら、固定部材はボルトに限られず、例えば、フック形状の部材であって、固定孔に差し込んで係止させて固定するものなど、固定部材は固定孔に固定できるものであれば適宜変更して利用することができる。
【００３１】
また、本考案の多機能台及びレジカウンターは、上記の実施例に限定されず、実用新案登録請求の範囲に記載された範囲、実施形態の範囲で、種々の変形例、組み合わせが可能であり、これらの変形例、組み合わせも本考案の範囲に含むものである。
【図１】
0003191828.tif 000003
【図２】
0003191828.tif 000004
【図３】
0003191828.tif 000005